(57)【要約】【課題】袋内で粉石鹸が“だま”になるのを抑え、洗濯水に粉石鹸が溶けやすくした粉石鹸袋を提供する。【解決手段】粉石鹸袋１０は、粉石鹸を収容可能な布袋２と、この布袋２の袋口を開閉可能なファスナ（留め具）とを備える。布袋２の粉石鹸の収容部Ｓ１には、網地によって仕切られる補助収容部Ｓ２が設けられており、この補助収容部Ｓ２にだま潰し粒状体８が充填される。だま潰し粒状体８は、天然石粒子８Ａ（セラミック粒子）を含むとよく、さらに好ましくは、カルシウムイオン、マグネシウムイオン等の洗濯水の硬度成分を除去する合成ゼオライト粒子８Ｂ（イオン交換材料粒子）を含むとよい。【選択図】図２
2006271732.tif 000002
【特許請求の範囲】
【請求項１】
粉石鹸を収容可能な布袋と、
この布袋の袋口を開閉可能な留め具とを備え、
前記布袋の粉石鹸の収容部に網地によって仕切られる補助収容部を設け、この補助収容部にだま潰し粒状体を充填してなることを特徴とする粉石鹸袋。
【請求項２】
請求項１記載の粉石鹸袋であって、前記だま潰し粒状体は、水質改良作用を有するセラミック粒子を含む、粉石鹸袋。
【請求項３】
請求項１記載の粉石鹸袋であって、前記だま潰し粒状体は、カルシウムイオン、マグネシウムイオン等の洗濯水の硬度成分を除去するイオン交換材料粒子を含む、粉石鹸袋。
【請求項４】
請求項１記載の粉石鹸袋であって、前記だま潰し粒状体は、洗濯槽で前記布袋を浮き上がらせる浮力材料粒子を含む、粉石鹸袋。
【請求項５】
請求項１記載の粉石鹸袋であって、前記だま潰し粒状体は、抗菌材料粒子を含む、粉石鹸袋。
【発明の詳細な説明】
【技術分野】
【０００１】
本発明は、洗濯用の粉石鹸を入れるのに適した粉石鹸袋に関するものである。
【背景技術】
【０００２】
一般に、洗濯用の洗剤として粉石鹸が多く使用されている。粉石鹸は、環境に優しい洗剤成分で作りやすいこと、粉末が取り出しやすいこと等の利点を有している反面、粉石鹸の溶け残りが洗濯物に付着しやすい等の欠点も有している。
【０００３】
従来、このような粉石鹸の溶け残りを抑えるために、布製の袋に粉石鹸を入れて洗濯水に投入するようにした粉石鹸袋が知られている（特許文献１等）。この種の粉石鹸袋は、布袋に粉石鹸を入れて、その袋口をファスナ等で閉める構成になっている。粉石鹸袋を洗濯物と一緒に洗濯水に投入すると、袋の中に水流が生じ、布袋の布目を通して粉石鹸が粉石鹸が袋の外側に溶け出す。
【０００４】
【特許文献１】特開平０８−１５０２８８号公報
【発明の開示】
【発明が解決しようとする課題】
【０００５】
ところが前述したような従来の粉石鹸袋を使用すると、袋内で粉石鹸が“だま”になりやすく、このような“だま”が洗濯後に袋の中に溶け残ることがある。すなわち、洗濯時に袋に入れた粉石鹸を十分に使い切ることができないことがあった。
【０００６】
本発明は、このような現状に鑑みなされたもので、袋内で粉石鹸が“だま”になるのを抑え、洗濯水に粉石鹸が溶けやすくした粉石鹸袋を提供することを目的としている。
【課題を解決するための手段】
【０００７】
［第１発明］
本発明（第１発明）の粉石鹸袋は、
粉石鹸を収容可能な布袋と、
この布袋の袋口を開閉可能な留め具とを備え、
前記布袋の粉石鹸の収容部に網地によって仕切られる補助収容部を設け、この補助収容部にだま潰し粒状体を充填してなることを特徴としている。
【０００８】
このような構成によれば、袋内に粉石鹸の“だま”が生じても、この“だま”が網目を通って補助収容部に入りだま潰し粒状体の粒子の間で押し潰される。また、補助収容部の網地（網面）と“だま”との摩擦によっても“だま”が削られ、かつ潰される。これにより、袋内で“だま”が消滅し、袋内の粉石鹸を溶け残しなく効果的に使い切ることができる。
また、補助収容部にだま潰し粒状体が収まっているため、留め具を開ける際にだま潰し粒状体がバラバラになって袋の外側に飛び出すような不具合がなく、使い勝手がよい。
【０００９】
前記布袋の材料は、天然繊維（綿等）であっても、化学繊維（ポリエステル、ナイロン、アクリル等）であってもよい。ゴムやスパンデックス等の弾性繊維で形成することもできる。布地の種類は、粉石鹸を保持可能な布目をもつものであれば、平織り、綾織り等の既存の布地を採用することができる。同種または異種の布地を重ねて、二重構造（二枚重ね）、三重構造（三枚重ね）等にしてもよい。また、樹脂などで形成したメッシュシートやパンチングシートを、粉石鹸保持用の布地として用いてもよい。
また、前記布袋は、その全部が布地で形成されていなくてもよく、袋の一部に布地以外のプラスチック等の硬質または軟質材料を用いてもよい。
【００１０】
前記留め具としては、スライドファスナを用いるのが望ましいが、本発明としては、これに限定されることなく、粉石鹸がこぼれない程度に袋口を閉じることができれば、加圧式のファスナ（面ファスナ、樹脂製ジッパー等）であってもよいし、また、スナップ、カギホック、ボタン等による開閉蓋であってもよい。
【００１１】
前記網地は、だま潰し粒状体の粒子が補助収容部から抜け出さない程度の大きさの網目になっていることが必要である。網地の種類は、特に限定されず、結節網、無結節網、綟子網、織網等を用いることができる。また、樹脂などで形成したメッシュシートやパンチングシートを、だま潰し粒状体保持用の布地として用いてもよい。網地の材料は、天然繊維（綿等）であっても、化学繊維（ポリエステル、ナイロン、アクリル等）であってもよく、ゴムやスパンデックス等の弾性繊維を用いてもよい。
【００１２】
前記だま潰し粒状体は、粉石鹸の“だま”をつぶせる程度の硬さを有するものであればよく、例えば、天然石、ガラス、金属、セラミック、プラスチック等の粒状体を用いることができる。これらの各種材料の粒状体が混在していてもよい。
【００１３】
［第２発明］
本発明（第２発明）の粉石鹸袋は、第１発明の構成を有する粉石鹸袋であって、前記だま潰し粒状体が、水質改良作用を有するセラミック粒子を含むことを特徴としている。
【００１４】
このような構成によれば、セラミック粒子の水質改良作用により洗浄効果をさらに高めることができる。例えば、トルマリン石、麦飯石、磁鉄鉱等の水質改良用セラミック粒子を用いると、遠赤外線マイナスイオン作用または磁力作用によって、洗濯水を活性化（水クラスターの細分化）し、泡立ちを良好にして洗浄力を高めることができる。また、洗濯水の塩素イオンを除去することもでき、洗濯水による肌荒れ等を抑えることも可能になる。
【００１５】
［第３発明］
一般に、洗濯用の水としては、ミネラル成分の少ない軟水が適することが知られている。カルシウムイオンやマグネシウムイオン等の硬度成分が石鹸と結合すると、石鹸カスが生じるためである。石鹸カスは、袋内面に糊状になって付着するなどし、洗浄力を低下させる要因となる。
【００１６】
本発明（第３発明）の粉石鹸袋は、第１発明の構成を有する粉石鹸袋であって、前記だま潰し粒状体が、カルシウムイオン、マグネシウムイオン等の洗濯水の硬度成分を除去するイオン交換材料粒子を含むことを特徴としている。
【００１７】
このような構成によれば、イオン交換材料粒子が洗濯水に含まれるカルシウムイオン、マグネシウムイオン等の硬度成分を袋内で効果的に取り除くため、粉石鹸がさらに水に溶けやすくなる。すなわち、前述の“だま”潰し作用に加えて、イオン交換材料粒子の水質改良作用により、粉石鹸の洗浄力を高めることが可能になる。
【００１８】
従来、イオン交換材料を用いて洗濯水の水質を改良するようにした洗濯機が知られているが、この種の洗濯機では、イオン交換材料の破片が洗濯槽に入って故障等の原因になるのを回避するため、洗濯槽以外の給水部等にイオン交換材料を取り付けるようにしている。
本発明によれば、洗濯中にイオン交換材料の破片等が発生しても、粉石鹸袋の中に残るため、洗濯機の故障等を引き起こす心配がない。また、洗濯槽の粉石鹸に最も近い位置で水質改良を行うことができ、石鹸カスの発生を効果的に抑えることができる。
【００１９】
本発明において、イオン交換材料には合成ゼオライト、人工ゼオライト、天然ゼオライト等のセラミック材料を用いるとよい。また、市販の各種のイオン交換樹脂を使用することもできる。イオン交換材料粒子の粒子径は、補助収容部を仕切る網目よりも大きいことが必要である。
【００２０】
［第４発明］
本発明（第４発明）の粉石鹸袋は、第１発明の構成を有する粉石鹸袋であって、前記だま潰し粒状体が、洗濯槽で前記布袋を浮き上がらせる浮力材料粒子を含むことを特徴としている。
【００２１】
このような構成によれば、洗濯槽で浮力材料粒子が粉石鹸袋を浮き上がらせるように作用するため、粉石鹸袋が洗濯物と絡みやすくなる。これにより、粉石鹸袋が洗濯物に揉まれてだま潰し粒状体の“だま”潰し効果を高めることができる。また、濃度の高い石鹸水を洗濯物に接触させやすいため、洗濯物の汚れ落ちが向上する。
【００２２】
浮力材料粒子の材料としては、水よりも比重の軽い材料であればよく、例えば、発泡ポリエチレン等が挙げられる。浮力材料粒子の粒子径についても同様に網地の網目よりも大きいことが必要である。
【００２３】
［第５発明］
本発明（第５発明）の粉石鹸袋は、第１発明の構成を有する粉石鹸袋であって、前記だま潰し粒状体が、抗菌材料粒子を含むことを特徴としている。
【００２４】
このような構成によれば、洗濯水に抗菌材料粒子の抗菌成分が溶け出して抗菌・殺菌作用を発揮するため、洗濯物の臭いの発生を抑えることができる。また、洗濯槽に対しても抗菌・殺菌作用を発揮するため、洗濯槽内のカビの発生を抑えることもできる。
抗菌材料粒子の材料としては、例えば、銅、銀等の金属材料が挙げられる。その他、セラミック多孔質材に無機・有機の抗菌成分を担持させたもの、抗菌剤を樹脂に練り込んだもの等であってもよい。抗菌材料粒子の粒子径についても同様に網地の網目よりも大きいことが必要である。
【００２５】
［第１〜５発明］
本発明（第１〜５発明）において、粉石鹸袋に充填する粉石鹸の種類は問わないが、好ましくは、洗浄水が環境に負担をかけにくい天然石鹸（純石鹸）を用いるとよい。
また、本発明の粉石鹸袋は、洗濯機の洗濯槽に入れて用いるとその作用・効果を発揮しやすいが、その他の用途に使用することも可能である。例えば、掃除用の洗浄水に粉石鹸を溶かす際に本発明の粉石鹸袋をバケツ等の容器に入れて用いてもよい。また、粉末タイプの浴用剤等を粉石鹸袋に充填して浴槽に入れることもできる。
【００２６】
本発明（第１〜５発明）は、単独で適用してもよいし、これらの発明を必要に応じて組み合わせて適用してもよい。また、本発明（第１〜５発明）に本明細書に記載される他の発明を組み合わせてもよい。
【発明を実施するための最良の形態】
【００２７】
以下、本発明の実施形態を図面に基づいて説明する。本実施形態は、洗濯機の洗濯槽に用いる粉石鹸袋の一例である。
［第１実施形態］
図１は、第１実施形態による粉石鹸袋の斜視図である。図１に示すように、粉石鹸袋１０は、布袋２の袋口にファスナ３が取り付けられる。ファスナ３を開けることで袋口から布袋２に粉石鹸が入るようになっている。粉石鹸袋１０の大きさは、数ｇ程度の粉石鹸が余裕をもって入る程度の容量をもつ。
なお、粉石鹸袋１０において、符号４は、保管等の際に粉石鹸袋１０をフックなどに引っ掛けるためのストラップ、符号５は、洗濯時にファスナ３が開かないように摘み部分を押さえるための留め帯である。
【００２８】
図２に示すように、布袋２は、上布２ａと下布２ｂとからなっている。各布２ａ，２ｂの外周端部が一定の幅で内側に折り曲げられて縫い合わされ、これらの布２ａ，２ｂの間に粉石鹸を充填するための主収容部Ｓ１が形成される（図３参照）。
【００２９】
布袋２の底部には仕切ネット７が縫い合わされる。この仕切ネット７は、下布２ｂの上方に膨らむ網面を有しており、この網面により補助収容部Ｓ２を仕切っている。そして、この補助収容部Ｓ２にだま潰し粒状体８が充填される。
【００３０】
だま潰し粒状体８は、複数のセラミック材料からなるもので、トルマリン石、麦飯石等の天然石粒子８Ａ、合成ゼオライト粒子８Ｂ等のセラミック粒子が混ざり合っている。これらの粒子径は、仕切ネット７の網目よりも大きい。これにより、補助収容部Ｓ２からセラミック粒子が外側に飛び出すことはない。
【００３１】
だま潰し粒状体８の充填量は、セラミック粒子が補助収容部Ｓ２で移動できる程度に抑えられる。すなわち、補助収容部Ｓ２はだま潰し粒状体８で完全に満たされることなく、空間的に若干の余裕をもってだま潰し粒状体８を収容している。これにより、袋内に水流が起こると、この流れに乗ってセラミック粒子も個々に位置を変えながら動き回ることになる。
【００３２】
洗濯時、まず、布袋２の主収容部Ｓ１に粉石鹸を充填し、ファスナ３を閉じて粉石鹸を袋内に密閉する。粉石鹸の充填量は、洗濯水の量に合わせて適宜調整する。
洗濯機の洗濯槽を適量の水で満たし、洗濯物と粉石鹸袋を投入して洗濯機のスイッチを入れ、洗濯槽内を撹拌する。
洗濯槽内では、粉石鹸袋１０が水流に乗って移動し、これに伴って袋内で粉石鹸が撹拌される。洗濯水に溶けた粉石鹸は、石鹸水となって袋の布目を通って洗濯槽内に溶け出す。
【００３３】
粉石鹸袋１０内で粉石鹸が“だま”になったときには、仕切ネット７の網面で削られるかまたは仕切ネット７の網目を通って補助収容部Ｓ２に入り、セラミック粒子の間で押しつぶされるため、“だま”が解消して洗濯水に溶け込む。これにより、袋内に粉石鹸の“だま”が溶け残ることがなく、効率よく粉石鹸を使い切ることができる。
【００３４】
このように、本実施形態の粉石鹸袋１０によれば、袋内で粉石鹸の“だま”を潰しながら粉石鹸を洗濯水に溶かすことができるため、袋内に粉石鹸の溶け残りがほとんど生じない。
また、天然石粒子８Ａの水質改良効果により洗濯水の泡立ちがよくなり、洗浄力を向上させることができる。
さらに、合成ゼオライト粒子８Ｂがカルシウムイオン、マグネシウムイオン等の硬度成分をイオン交換により取り除くため、袋内で石鹸カスの生成が抑制され、粉石鹸の洗浄力を最大限に発揮させて効率よく洗濯を行うことができる。
【００３５】
［第２実施形態］
次に、本発明の第２実施形態を図４に示した。第２実施形態の粉石鹸袋は、だま潰し粒状体を収容する補助収容部Ｓ２を着脱可能にしたものである。
図４に示すように、粉石鹸袋２０は、袋内の主収容部Ｓ１に補助収容部Ｓ２を仕切るネット袋２３が収納される。そして、このネット袋２３の補助収容部Ｓ２にだま潰し粒状体８が充填されている。
【００３６】
第２実施形態の粉石鹸袋２０によれば、布袋２内でネット袋２３が動き回ることが可能になり、“だま”潰し効果を高めることができる。また、粉石鹸袋２０からネット袋２３を自在に取り出せるため、だま潰し粒状体８の交換や洗浄といったアフターケアを簡単に行える。さらに、布袋２の布地が擦れたり破れたりしても、布袋２のみを別なものに交換すれば、だま潰し粒状体８をそのまま使用することができる。
【００３７】
また、図４に示すように、第２実施形態において、布袋２とネット袋２３とに面ファスナ２５Ａ，２５Ｂを設けてもよい。面ファスナ２５Ａ，２５Ｂは、布袋２の内面にネット袋２３の外面を着脱可能に止めるものである。面ファスナ２５Ａ，２５Ｂ同士を貼り合わせれば布袋２にネット袋２３が止まり、面ファスナ２５Ａ，２５Ｂを引きはがせば、布袋２からネット袋２３を簡単に取り出せる。
このような構成によれば、布袋２からネット袋２３が脱落しにくくなるため、粉石鹸袋２０の管理がしやすくなる。
なお、面ファスナ２５Ａ，２５Ｂに代えて、ゴムバンド、ボタン、紐等で布袋２の内部にネット袋２３を着脱可能に取り付けてもよい。
【００３８】
以上、第１実施形態および第２実施形態による粉石鹸袋を説明したが、本発明の実施形態はこれに限られることなく、種々の変更を伴うことができる。
例えば、だま潰し粒状体８に、発泡ポリエチレン等からなる浮力材料粒子を混ぜてもよい。このような粒子を混ぜることで、洗濯槽内で粉石鹸袋が浮き上がりやすくなり、洗濯物に粉石鹸袋を絡ませながらだま潰し粒状体による“だま”潰しを行うことができる。
【００３９】
また、だま潰し粒状体８に銅や銀からなる抗菌材料粒子を混入させると、雑菌の繁殖を抑制し、洗濯時のいやな臭いやカビ等を防ぐことができ、また、洗濯槽を清潔に保つことができる。
【図面の簡単な説明】
【００４０】
【図１】本発明の第１実施形態による粉石鹸袋を示す斜視図である。
【図２】同粉石鹸袋の模式縦断面図である。
【図３】同粉石鹸袋の模式横断面図である。
【図４】本発明の第２実施形態による粉石鹸袋の模式縦断面図である。
【符号の説明】
【００４１】
２    布袋
２ａ  上布
２ｂ  下布
３    ファスナ（留め具）
４    ストラップ
５    留め帯
７    仕切ネット（網地）
８    だま潰し粒状体
８Ａ  天然石粒子（セラミック粒子）
８Ｂ  合成ゼオライト粒子（イオン交換材料粒子）
１０，２０  粉石鹸袋
２３    ネット袋（網地）
２５Ａ，２５Ｂ  面ファスナ
Ｓ１  主収容部
Ｓ２  補助収容部
【図１】
2006271732.tif 000003
【図２】
2006271732.tif 000004
【図３】
2006271732.tif 000005
【図４】
2006271732.tif 000006